(57)【特許請求の範囲】
【請求項１】
本画像を表す画像データを複数記憶する記憶手段と、
表示手段に、前記本画像に対して縮小された画像である縮小画像を複数表示させる第１の表示制御手段と、
前記表示手段に表示される複数の縮小画像のいずれかを指定する画像指定手段と、
前記画像指定手段により指定された縮小画像を、予め優先順序が設定されている複数種類の画調のいずれかに、該優先順序に沿って所定の画調変換処理を行い、変換画調画像を作成する画調変換手段と、
前記画像指示手段による指示にかかわらず変換のタイミングを判定する変換タイミング判定手段と、
前記変換タイミング判定手段が、当該画像表示装置の電源がオフにされたタイミングを変換タイミングであると判定した場合に、インターラプトにより、前記表示手段に表示される縮小画像を、前記優先順序に沿った種類の変換画調画像に変換して前記記憶手段に記憶しておく自動画調変換手段と、
前記画調変換手段により変換された変換画調画像を、前記画像指定手段により指定された縮小画像に代えて、前記表示手段に表示させる第２の表示制御手段と、
前記表示された変換画調画像を前記画像指定手段によりさらに指定すると、指定された変換画調画像を前記画調変換手段により前記優先順序に沿った他の種類の変換画調画像に変換し、指定された変換画調画像に代えて、前記他の種類の変換画調画像を前記表示手段に表示させる第３の表示制御手段と、
を備え、
前記画調変換手段は、既に前記自動画調変換手段により前記優先順序に沿って変換された変換画調画像がある場合には前記画調変換処理を行わず、当該変換済みの変換画調画像を、前記第２の表示制御手段または前記第３の表示制御手段により前記表示手段に表示させる一方、前記第１の表示制御手段により複数表示されている縮小画像を、前記優先順序に沿って一括で画調変換し、前記第２又は第３の表示制御手段により既に変換画調画像が表示されている場合は、前記優先順序に沿って更に次の優先順序の変換画調画像を表示させ、且つ前記自動画調変換手段により既に優先順序に沿った変換画調画像が前記記憶手段に記憶されている縮小画像については、前記記憶手段に記憶されている変換調画像を読み出して表示させ、前記自動画調変換手段による画調変換処理が行われていない縮小画像については、画調変換処理を行うことを特徴とする画像表示装置。
【請求項２】
本画像を表す画像データを複数記憶する記憶手段を備えた画像表示装置の画像表示方法において、
表示手段に、前記本画像に対して縮小された画像である縮小画像を複数表示させる第１の表示制御ステップと、
前記表示手段に表示される複数の縮小画像のいずれかを指定する画像指定ステップと、
前記画像指定ステップにより指定された縮小画像を、予め優先順序が設定されている複数種類の画調のいずれかに、該優先順序に沿って所定の画調変換処理を行い、変換画調画像を作成する画調変換ステップと、
前記画像指示ステップによる指示にかかわらず変換のタイミングを判定する変換タイミング判定ステップと、
前記変換タイミング判定ステップが、当該画像表示装置の電源がオフにされたタイミングを変換タイミングであると判定した場合に、インターラプトにより、前記表示手段に表示される縮小画像を、前記優先順序に沿った種類の変換画調画像に変換して前記記憶手段に記憶しておく自動画調変換ステップと、
前記画調変換ステップにより変換された変換画調画像を、前記画像指定ステップにより指定された縮小画像に代えて、前記表示手段に表示させる第２の表示制御ステップと、
前記表示された変換画調画像を前記画像指定ステップによりさらに指定すると、指定された変換画調画像を前記画調変換ステップにより前記優先順序に沿った他の種類の変換画調画像に変換し、指定された変換画調画像に代えて、前記他の種類の変換画調画像を前記表示手段に表示させる第３の表示制御ステップと、
を備え、
前記画調変換ステップは、既に前記自動画調変換ステップにより前記優先順序に沿って変換された変換画調画像がある場合には前記画調変換処理を行わず、当該変換済みの変換画調画像を、前記第２の表示制御ステップまたは前記第３の表示制御ステップにより前記表示手段に表示させる一方、前記第１の表示制御ステップにより複数表示されている縮小画像を、前記優先順序に沿って一括で画調変換し、前記第２又は第３の表示制御ステップにより既に変換画調画像が表示されている場合は、前記優先順序に沿って更に次の優先順序の変換画調画像を表示させ、且つ前記自動画調変換ステップにより既に優先順序に沿った変換画調画像が前記記憶手段に記憶されている縮小画像については、前記記憶手段に記憶されている変換調画像を読み出して表示させ、前記自動画調変換ステップによる画調変換処理が行われていない縮小画像については、画調変換処理を行うことを特徴とする画像表示方法。
【請求項３】
本画像を表す画像データを複数記憶する記憶手段を備えた画像表示装置のコンピュータを、
表示手段に、前記本画像に対して縮小された画像である縮小画像を複数表示させる第１の表示制御手段と、
前記表示手段に表示される複数の縮小画像のいずれかを指定する画像指定手段と、
前記画像指定手段により指定された縮小画像を、予め優先順序が設定されている複数種類の画調のいずれかに、該優先順序に沿って所定の画調変換処理を行い、変換画調画像を作成する画調変換手段と、
前記画像指示手段による指示にかかわらず変換のタイミングを判定する変換タイミング判定手段と、
前記変換タイミング判定手段が、当該画像表示装置の電源がオフにされたタイミングを変換タイミングであると判定した場合に、インターラプトにより、前記表示手段に表示される縮小画像を、前記優先順序に沿った種類の変換画調画像に変換して前記記憶手段に記憶しておく自動画調変換手段と、
前記画調変換手段により変換された変換画調画像を、前記画像指定手段により指定された縮小画像に代えて、前記表示手段に表示させる第２の表示制御手段と、
前記表示された変換画調画像を前記画像指定手段によりさらに指定すると、指定された変換画調画像を前記画調変換手段により前記優先順序に沿った他の種類の変換画調画像に変換し、指定された変換画調画像に代えて、前記他の種類の変換画調画像を前記表示手段に表示させる第３の表示制御手段と、
して機能させ、
前記画調変換手段は、既に前記自動画調変換手段により前記優先順序に沿って変換された変換画調画像がある場合には前記画調変換処理を行わず、当該変換済みの変換画調画像を、前記第２の表示制御手段または前記第３の表示制御手段により前記表示手段に表示させる一方、前記第１の表示制御手段により複数表示されている縮小画像を、前記優先順序に沿って一括で画調変換し、前記第２又は第３の表示制御手段により既に変換画調画像が表示されている場合は、前記優先順序に沿って更に次の優先順序の変換画調画像を表示させ、且つ前記自動画調変換手段により既に優先順序に沿った変換画調画像が前記記憶手段に記憶されている縮小画像については、前記記憶手段に記憶されている変換調画像を読み出して表示させ、前記自動画調変換手段による画調変換処理が行われていない縮小画像については、画調変換処理を行うことを特徴とするプログラム。
【発明の詳細な説明】
【技術分野】
【０００１】
本発明は、画像表示装置、画像表示方法並びにプログラムに関し、特に画像を異なった画調の画像に変換する技術に関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、いわゆるデジタルフォトフレームが実現され普及している（例えば、特許文献１）。
【０００４】
デジタルフォトフレームでは、デジタル方式の特性を活かし、従来のプリント写真を掲出するフォトフレームではできなかった複数の写真をスライドショー形式で表示するなどの多様な表示態様を実現することができるとともに、画像処理を加えることで、例えば、元の写真をベースとしつつも趣の異なる画調の画像（例えば絵画調など）を生成して表示することができるようにした発明が提案されている（例えば、特許文献２）。
【０００５】
これにより、単なる写真ではなく、あたかも絵画のように楽しむことができるが、特許文献２に記載の技術では、画素単位でシミュレートするために、画像全体を勘案して芸術性を高めるという点においては不足する点もあった。
【０００６】
このため、実際に画家が描いた絵画の画像から色彩情報と筆触情報等の特徴を抽出し、撮影された画像に抽出した特徴を付与することにより、原画像全体を勘案して芸術性の高い絵画調画像に変換する技術も提案されるに至っている（例えば、特許文献３）。
【０００７】
これにより、原画像から芸術性の高い画像を得るための画像処理として、原画像全体を勘案して、芸術性の演出効果をより高める画像のデータを生成する画像処理を実現することができる。
【先行技術文献】
【特許文献】
【０００８】
【特許文献１】特開２００９−１４１６７８号公報
【特許文献２】特開平８−４４８６７号公報
【特許文献３】特開２００４−２１３５９８号公報
【発明の概要】
【発明が解決しようとする課題】
【０００９】
しかしながら、上記発明における絵画調画像には油絵調、水彩画調、パステル画調・・・など多数の画調変換が含まれるが、このような変換処理を実施するためには、ＣＰＵによる大量の演算を必要とするため、撮影した写真を変換する時間が長いという課題がある。
【００１０】
また、変換処理に時間がかかると、その場で色々な変換を試して最適な変換画調画像を選択するのは困難であった。
【００１１】
本発明は、上記のような事情に鑑みなされたもので、素早く所望の変換を行った画像を見ることのできる画像表示装置並びに画調変換サービスシステム、端末、サーバ及び画像表示方法を提供することを目的とする。
【課題を解決するための手段】
【００１２】
前記課題を解決するため請求項１記載の発明では、本画像を表す画像データを複数記憶する記憶手段と、表示手段に、前記本画像に対して縮小された画像である縮小画像を複数表示させる第１の表示制御手段と、前記表示手段に表示される複数の縮小画像のいずれかを指定する画像指定手段と、前記画像指定手段により指定された縮小画像を、予め優先順序が設定されている複数種類の画調のいずれかに、該優先順序に沿って所定の画調変換処理を行い、変換画調画像を作成する画調変換手段と、前記画像指示手段による指示にかかわらず変換のタイミングを判定する変換タイミング判定手段と、前記変換タイミング判定手段が、当該画像表示装置の電源がオフにされたタイミングを変換タイミングであると判定した場合に、インターラプトにより、前記表示手段に表示される縮小画像を、前記優先順序に沿った種類の変換画調画像に変換して前記記憶手段に記憶しておく自動画調変換手段と、前記画調変換手段により変換された変換画調画像を、前記画像指定手段により指定された縮小画像に代えて、前記表示手段に表示させる第２の表示制御手段と、
前記表示された変換画調画像を前記画像指定手段によりさらに指定すると、指定された変換画調画像を前記画調変換手段により前記優先順序に沿った他の種類の変換画調画像に変換し、指定された変換画調画像に代えて、前記他の種類の変換画調画像を前記表示手段に表示させる第３の表示制御手段と、を備え、前記画調変換手段は、既に前記自動画調変換手段により前記優先順序に沿って変換された変換画調画像がある場合には前記画調変換処理を行わず、当該変換済みの変換画調画像を、前記第２の表示制御手段または前記第３の表示制御手段により前記表示手段に表示させる一方、前記第１の表示制御手段により複数表示されている縮小画像を、前記優先順序に沿って一括で画調変換し、前記第２又は第３の表示制御手段により既に変換画調画像が表示されている場合は、前記優先順序に沿って更に次の優先順序の変換画調画像を表示させ、且つ前記自動画調変換手段により既に優先順序に沿った変換画調画像が前記記憶手段に記憶されている縮小画像については、前記記憶手段に記憶されている変換調画像を読み出して表示させ、前記自動画調変換手段による画調変換処理が行われていない縮小画像については、画調変換処理を行うことを特徴とする画像表示装置を提供するものである。
【００１３】
また、請求項２記載の発明では、本画像を表す画像データを複数記憶する記憶手段を備えた画像表示装置の画像表示方法において、表示手段に、前記本画像に対して縮小された画像である縮小画像を複数表示させる第１の表示制御ステップと、前記表示手段に表示される複数の縮小画像のいずれかを指定する画像指定ステップと、前記画像指定ステップにより指定された縮小画像を、予め優先順序が設定されている複数種類の画調のいずれかに、該優先順序に沿って所定の画調変換処理を行い、変換画調画像を作成する画調変換ステップと、前記画像指示ステップによる指示にかかわらず変換のタイミングを判定する変換タイミング判定ステップと、前記変換タイミング判定ステップが、当該画像表示装置の電源がオフにされたタイミングを変換タイミングであると判定した場合に、インターラプトにより、前記表示手段に表示される縮小画像を、前記優先順序に沿った種類の変換画調画像に変換して前記記憶手段に記憶しておく自動画調変換ステップと、前記画調変換ステップにより変換された変換画調画像を、前記画像指定ステップにより指定された縮小画像に代えて、前記表示手段に表示させる第２の表示制御ステップと、前記表示された変換画調画像を前記画像指定ステップによりさらに指定すると、指定された変換画調画像を前記画調変換ステップにより前記優先順序に沿った他の種類の変換画調画像に変換し、指定された変換画調画像に代えて、前記他の種類の変換画調画像を前記表示手段に表示させる第３の表示制御ステップと、を備え、前記画調変換ステップは、既に前記自動画調変換ステップにより前記優先順序に沿って変換された変換画調画像がある場合には前記画調変換処理を行わず、当該変換済みの変換画調画像を、前記第２の表示制御ステップまたは前記第３の表示制御ステップにより前記表示手段に表示させる一方、前記第１の表示制御ステップにより複数表示されている縮小画像を、前記優先順序に沿って一括で画調変換し、前記第２又は第３の表示制御ステップにより既に変換画調画像が表示されている場合は、前記優先順序に沿って更に次の優先順序の変換画調画像を表示させ、且つ前記自動画調変換ステップにより既に優先順序に沿った変換画調画像が前記記憶手段に記憶されている縮小画像については、前記記憶手段に記憶されている変換調画像を読み出して表示させ、前記自動画調変換ステップによる画調変換処理が行われていない縮小画像については、画調変換処理を行うことを特徴とする画像表示方法を提供するものである。
【００１４】
また、請求項３記載の発明では、本画像を表す画像データを複数記憶する記憶手段を備えた画像表示装置のコンピュータを、表示手段に、前記本画像に対して縮小された画像である縮小画像を複数表示させる第１の表示制御手段と、前記表示手段に表示される複数の縮小画像のいずれかを指定する画像指定手段と、前記画像指定手段により指定された縮小画像を、予め優先順序が設定されている複数種類の画調のいずれかに、該優先順序に沿って所定の画調変換処理を行い、変換画調画像を作成する画調変換手段と、前記画像指示手段による指示にかかわらず変換のタイミングを判定する変換タイミング判定手段と、前記変換タイミング判定手段が、当該画像表示装置の電源がオフにされたタイミングを変換タイミングであると判定した場合に、インターラプトにより、前記表示手段に表示される縮小画像を、前記優先順序に沿った種類の変換画調画像に変換して前記記憶手段に記憶しておく自動画調変換手段と、前記画調変換手段により変換された変換画調画像を、前記画像指定手段により指定された縮小画像に代えて、前記表示手段に表示させる第２の表示制御手段と、前記表示された変換画調画像を前記画像指定手段によりさらに指定すると、指定された変換画調画像を前記画調変換手段により前記優先順序に沿った他の種類の変換画調画像に変換し、指定された変換画調画像に代えて、前記他の種類の変換画調画像を前記表示手段に表示させる第３の表示制御手段と、して機能させ、前記画調変換手段は、既に前記自動画調変換手段により前記優先順序に沿って変換された変換画調画像がある場合には前記画調変換処理を行わず、当該変換済みの変換画調画像を、前記第２の表示制御手段または前記第３の表示制御手段により前記表示手段に表示させる一方、前記第１の表示制御手段により複数表示されている縮小画像を、前記優先順序に沿って一括で画調変換し、前記第２又は第３の表示制御手段により既に変換画調画像が表示されている場合は、前記優先順序に沿って更に次の優先順序の変換画調画像を表示させ、且つ前記自動画調変換手段により既に優先順序に沿った変換画調画像が前記記憶手段に記憶されている縮小画像については、前記記憶手段に記憶されている変換調画像を読み出して表示させ、前記自動画調変換手段による画調変換処理が行われていない縮小画像については、画調変換処理を行うことを特徴とするプログラム。を提供するものである。
【発明の効果】
【００２４】
本発明によれば、素早く所望の画調変換を行った画像を見ることができるという効果がある。また、いずれの画像をいずれの画調画像に変換するかを簡単に選択することができるという効果がある。
【図面の簡単な説明】
【００２５】
【図１】（ａ）は本発明の実施形態に係る画像表示装置としてのＤＰＦの外観を示す正面図、（ｂ）は側面図である。
【図２】ＤＰＦの回路構成を示すブロック図である。
【図３】メモリカードの記憶状態を示す遷移図である。
【図４】図３に続くメモリカードの記憶状態を示す遷移図である。
【図５】第１の実施の形態におけるＤＰＦの処理手順を示すフローチャートである。
【図６】液晶表示パネルの表示遷移図である。
【図７】図６に続く液晶表示パネルの表示遷移図である。
【図８】図７に続く液晶表示パネルの表示遷移図である。
【図９】図８に続く液晶表示パネルの表示遷移図である。
【図１０】図９に続く液晶表示パネルの表示遷移図である。
【図１１】液晶表示パネルの表示遷移図である。
【図１２】図１１に続く液晶表示パネルの表示遷移図である。
【図１３】第１の実施の形態におけるインターラプト処理の処理手順を示すフローチャートである。
【図１４】本発明の第２の実施の形態に係るシステムを示すシステム構成図である。
【図１５】管理サーバの構成を示すブロック図である。
【図１６】第２の実施の形態におけるＤＰＦの処理手順を示すフローチャートである。
【図１７】同実施の形態における管理サーバの処理手順を示すフローチャートである。
【図１８】同実施の形態におけるＤＰＦのインターラプト処理の処理手順を示すフローチャートである。
【発明を実施するための形態】
【００２６】
（第１の実施の形態）
以下、本発明の実施形態について説明する。図１（ａ）は本発明を適用したデジタルフォトフレーム（以下、ＤＰＦという。）１の正面図、図１（ｂ）は、ＤＰＦ１の側面図である。ＤＰＦ１の正面は、本体２に保持された液晶表示パネル３によって構成される表示部により、ほぼ全域が占められている。本体２の前面上部には、人感センサ１４が配置され、側面には、電源スイッチ４及び操作スイッチ５、メモリカードスロット６が設けられている。
【００２７】
図２は、ＤＰＦ１の電気的構成を示したブロック図である。ＤＰＦ１は、ＣＰＵ（Central Processing Unit）１１と、ＣＰＵ１１に接続されたＲＯＭ（Read Only Memory）１２、ＲＡＭ（Random Access memory）１３、前記人感センサ１４、電源スイッチ４と操作スイッチ５とを含むスイッチ部１５、表示コントローラ１６、メモリカードコントローラ１７、タッチパネル１９及び無線通信部２０を有している。
【００２８】
ＲＯＭ１２には、ＣＰＵ１１に後述するフローチャートに示す動作を行わせるためのプログラムが記憶されている。また、ＲＯＭ１２には、画調変換のためのプログラムが記憶されているもので、例えば実際に画家により描かれた油絵、水彩画、パステル画、鉛筆画、クレヨン画、イラスト画、点描画、エアブラシ画の各原画と、これら原画から色彩情報と筆触情報等の特徴を抽出し、抽出した特徴を付与することで入力画像に対し画調変換処理を行い、変換画調画像を作成する特開２００４−２１３５９８に開示されている技術に基づく変換画調画像作成プログラムも記憶されている。
【００２９】
ＲＡＭ１３は、ＣＰＵ１１が必要に応じて種々のデータを一時的に記憶する作業用のメモリである。人感センサ１４は、ＤＰＦ１の画像を見ている者が周辺にいるか否か検知するためのもので、人体が発する赤外線を感知する焦電素子を使用したセンサや超音波を使用したセンサなどからなる。また、撮像素子を設けてもよく、撮像素子であれば画像認識も可能となり、より複雑な制御を実現できる。
【００３０】
表示コントローラ１６は、ＣＰＵ１１から供給される表示用の画像データに基づき液晶表示パネル３を駆動することにより、画像データにより表される画像を液晶表示パネル３に表示させる。メモリカードコントローラ１７は、メモリカードスロット６に着脱自在に装着された各種のメモリカード１８と、これに接続されたＣＰＵ１１との間におけるデータの入出力を制御する入出力インターフェースである。タッチパネル１９は、液晶表示パネル３に積層され、液晶表示パネル３上におけるユーザの手指によるタッチ位置を検出する。タッチ入力方式は光学式、静電容量方式等色々あり、方式に限定されるものではなく、位置検出はカーソルによる選択でよい。
【００３１】
無線通信部２０は、アンテナ２１に接続されており、端末認証処理を含む通信処理を行う。また、無線通信部２０は、ＷＷＷ接続制御を行うものであって、パケットデータ生成回路、及びパケットデータ復元回路を含み、通信プロトコルに沿ったデータ処理を行う。
【００３２】
また、ＤＰＦ１には、動作モードとして通常モードとエフェクトモードとが用意されており、ユーザが操作スイッチ５を所定の手順で操作することによって、動作モードの切替が可能となっている。
【００３３】
通常モードは、一般的なＤＰＦと同様に、メモリカード１８に画像データとして記憶されている画像を液晶表示パネル３にそのまま表示する動作モードである。なお、ＤＰＦ１において表示可能な画像は、例えばデジタルカメラによって撮像された画像であり、ＪＰＥＧ（Joint Photographic Expert Group）方式により圧縮され、撮影日時等の付加情報と共に静止画ファイルとして記憶されている画像である。もちろんＲＡＷ、ＢＭＰ、ＰＮＧなど各種の画像フォーマットをサポートすることができる。画像ソースはデジタルカメラで撮影したものでなくてもよい。
【００３４】
エフェクトモードは、メモリカード１８に記憶されている表示対象の画像を、絵画が有する特徴を備えた絵画調画像、つまり特定の効果を与えた絵画調画像に変換し、変換後の絵画調画像を液晶表示パネル３に表示する動作モードである。
【００３５】
また、エフェクトモードでは、絵画調画像への変換に際して目標とする絵画の種類、つまり変換画調画像にすることができる特徴（画調）が選択可能である。本実施の形態において、選択可能な画調は油絵調、水彩画調、パステル画調、鉛筆画調、クレヨン画調、イラスト画調、点描画調、エアブラシ画調とする。しかし、これに限ることなく、ゴッホ調、モネ調、ピカソ調など、画家の特徴を加味した変換の選択を可能としても良い。また、別の画調のアルゴリズムを後述するメモリカード１８で提供するようにすることもできる。
【００３６】
なお、本実施の形態においては、油絵調からエアブラシ画調までの８種類の画調に変換するプログラムが記憶されているが、その優先順序は、（１）油絵調、（２）水彩画調、（３）パステル画調、（４）鉛筆画調、（５）クレヨン画調、（６）イラスト画調、（７）点描画調、（８）エアブラシ画調とする。
【００３７】
図３は、メモリカード１８の記録内容を示すメモリ構成図である。このメモリカード１８は、デジタルカメラに着脱自在に装着されていたものであって、デジタルカメラでの撮影に伴って画像がＪＰＥＧのファイル方式でファイル化されて、複数のＦ１、Ｆ２、Ｆ３・・・（本実施の形態においては１６枚以上）が記録されている。各ファイルＦ１、Ｆ２、Ｆ３・・・は、ＥＸＩＦ（Exchangeable Image File Format）などのデータを有するヘッダと、撮影された画像であり本画像である画像データ（本画像１、２、３・・・）と、その画像データの縮小画像であるサムネイルの画像データ（サムネイル１、２、３・・・）とで構成されている。なお、表示画面の大きさにより画面に表示すべき縮小画像の大きさが異なるため、サムネイルとは別に表示用のプレビュー画像を作成して記憶しておく場合もある。本実施の形態では、プレビュー画像も含めてサムネイルと表現している。
【００３８】
つまり、これら画像ファイルＦ１、Ｆ２、Ｆ３・・・は、一般的なデジタルカメラのファイルフォーマットである。したがって、デジタルカメラで撮像したＳＤカード（メモリカード１８）をメモリカードスロット６に差し込むだけで使用できるようになっている。
【００３９】
以下、エフェクトモードにおけるＤＰＦ１の具体的な動作について説明する。
図５は、第１の実施の形態においてエフェクトモードが設定されているときのＣＰＵ１１の処理手順におけるメインルーチンを示したフローチャートである。エフェクトモードが設定されているとき、ＣＰＵ１１は、ＲＯＭ１２に記憶されているプログラムに従いこのフローチャートに示すように処理を実行する。
【００４０】
まず、ＣＰＵ１１は、メモリカード１８から表示対象の画像ファイルＦ１〜Ｆ１６のサムネイル画像データを読み出す。そして、これらサムネイル画像データに基づき、液晶表示パネル３にサムネイルを表示させる（ステップＳ１０１）。したがって、このステップＳ１０１での処理により、図６に示すように、液晶表示パネル３には、サムネイル１〜１６が一覧表示される。なお、このときＣＰＵ１１は、液晶表示パネル３の下端隅部に一括変換ボタン３０１とページ送りボタン３０２をも表示させる。
【００４１】
したがって、ページ送りボタン３０２を操作することにより、メモリカード１８から１６枚ずつ異なるサムネイルを読み出して液晶表示パネル３に表示されるサムネイルを変更することが可能である。ページ送りはボタンを設けないで指で画面をスライドしてページ送りをするようにしても構わない。
【００４２】
そして、液晶表示パネル３の下端隅部に表示された一括変換ボタン３０１とページ送りボタン３０２のうち、一括変換ボタン３０１がユーザによりタッチされたか否かを、タッチパネル２２からの出力に基づき判断する（ステップＳ１０２）。
【００４３】
一括変換ボタン３０１がタッチされない場合には、ステップＳ１０２からステップＳ１０７に進んで、いずれかのサムネイルがワンタッチされたか否かを判断し、ワンタッチされない場合には、ステップＳ１０２からの処理を繰り返す。
【００４４】
しかし、液晶表示パネル３にサムネイル１〜１６が表示されている状態において、ユーザがいずれかのサムネイルにワンタッチすると、タッチパネル２２によりこれが検出されて、ＣＰＵ１１はステップＳ１０７をＹＥＳと判断する。すると、ＣＰＵ１１は、ステップＳ１０８に進んで、メモリカード１８に既に画調変換されたデータが記録されているか否かを判断する。
【００４５】
そして、ステップＳ１０８に続くステップＳ１０９では、ワンタッチされたサムネイルに対し、画調変換処理を実行する。すなわち、図７（ａ）に示すように、サムネイル１〜サムネイル１６が表示されている状態（図６と同様の状態）において、ユーザがサムネイル７とサムネイル８とをワンタッチしたとする。すると、優先順序は、油絵調が「（１）」であることから、サムネイル７とサムネイル８とを油絵画調で画調変換処理する。
【００４６】
このとき、後述するように、メモリカード１８に油絵調で画像変換されたサムネイル７とサムネイル８の画像データが既に記憶されている場合もある。したがって、ステップＳ１０８では、メモリカード１８にサムネイルを油絵調に画調変換された画像データがあるか否かを判断し、ない場合にのみ、ワンタッチされたサムネイルに対し、画調（油絵調）変換処理を実行する（ステップＳ１０９）。
【００４７】
この画調変換処理に際してＣＰＵ１１は、ＲＯＭ１２に記憶されている実際に画家により描かれた油絵画の原画から、色彩情報と筆触情報等の特徴を抽出し、抽出した特徴を付与することでサムネイル７及びサムネイル８に対し画調変換処理を行って、変換画調画像データを生成し、この生成した変換画調画像データにより油絵画調の変換画調画像を作成する。そして、前記ステップＳ１０９の処理で生成された絵画調変換サムネイルの画像データをメモリカード１８の対応するファイルに書き込んで保存する（ステップＳ１１０）。
【００４８】
しかる後に、現在液晶表示パネル３に表示されている油絵調７及び油絵調８に代わって、油絵画調の変換画調画像を差し替え表示する（ステップＳ１１１）。したがって、このステップＳ１１１での処理により、液晶表示パネル３の表示画面は、図７（ａ）に示した状態から同図（ｂ）に示した状態に遷移し、液晶表示パネル３にはサムネイル７、８に代わって油絵調７、８が表示されることとなる。
【００４９】
引き続き、いずれかのサムネイルにダブルタッチ（２回連続したタッチ）がなされたか否かを判断する（ステップＳ１１２）。ダブルタッチされない場合には、ステップＳ１０７に戻る。したがって、図８（ａ）に示す表示状態（図７（ｂ）と同様の表示状態）において、ユーザが油絵調８をワンタッチしたとする。すると、優先順序は、（１）油絵調の次が（２）水彩画調であることから、油絵調８に対応するサムネイル８を水彩画調で画調変換処理することになる。
【００５０】
このとき、メモリカード１８にサムネイル８を水彩画調で画像変換された画像データが既に記憶されている場合もある。したがって、ステップＳ１０８では、メモリカード１８にサムネイル８を水彩画調に画調変換された画像データがあるか否かを判断し、ない場合にのみ、ワンタッチされた油絵調８に対応するサムネイル８に対し、他の画調（水彩画調）変換処理を実行する（ステップＳ１０９）。
【００５１】
この画調変換処理に際してＣＰＵ１１は、ＲＯＭ１２に記憶されている実際に画家により描かれた水彩画の原画から、色彩情報と筆触情報等の特徴を抽出し、抽出した特徴を付与することでサムネイル８に対し画調変換処理を行って、変換画調画像データを生成し、この生成した変換画調画像データにより水彩画調の変換画調画像を作成する。そして、前記ステップＳ１０９の処理で生成された絵画調変換サムネイルの画像データをメモリカード１８の対応するファイルに書き込んで保存する（ステップＳ１１０）。
【００５２】
しかる後に、現在液晶表示パネル３に表示されている油絵調８に代わって、水彩画調の変換画調画像を差し替え表示する（ステップＳ１１１）。したがって、このステップＳ１１１での処理により、液晶表示パネル３の表示画面は、図８（ａ）に示した状態から同図（ｂ）に示した状態に遷移し、液晶表示パネル３には油絵調８に代わって水彩画調８が表示されることとなる。
【００５３】
したがって、所望のサムネイルに対するタッチを繰り返せば、当該サムネイルが「（１）油絵調」から「（８）エアブラシ画調」まで順次変化する。よって、ユーザは、素早く所望の画調変換を行った画像を見ることができるのみならず、いずれの画像をいずれの画調画像に変換するかを簡単に選択することができる。
【００５４】
引き続き、いずれかのサムネイルにダブルタッチ（２回連続したタッチ）がなされたか否かを判断する（ステップＳ１１２）。ダブルタッチされない場合には、ステップＳ１０７に戻る。したがって、図９（ａ）に示す表示状態（図８（ｂ）と同様の表示状態）において、ユーザが水彩画調８をワンタッチしたとする。すると、優先順序は、（２）水彩画調の次が（３）パステル画調であることから、データがない場合には水彩画調８に対応するサムネイル８をパステル画調で画調変換処理する（ステップＳ１０９）。
【００５５】
すなわち、ＲＯＭ１２に記憶されている実際に画家により描かれたパステル画の原画から、色彩情報と筆触情報等の特徴を抽出し、抽出した特徴を付与することでサムネイル８に対し画調変換処理を行って、変換画調画像データを生成し、この生成した変換画調画像データによりパステル画調の変換画調画像を作成する。
【００５６】
そして、データ保存を行った後（ステップＳ１１０）、現在液晶表示パネル３に表示されている水彩画調８に代わって、作成したパステル画調の変換画調画像を差し替え表示する（ステップＳ１１１）。したがって、このステップＳ１１１での処理により、液晶表示パネル３の表示画面は、図９（ａ）に示した状態から同図（ｂ）に示した状態に遷移し、液晶表示パネル３には水彩画調８に代わってパステル画調８が表示されることとなる。
【００５７】
このとき、ＣＰＵ１１は、本画像よりも遙かにデータ量の少ないサムネイルを画調変換することから、変換処理に時間がかかることはない。したがって、ユーザは素早く所望の画調変換を行った画像（油絵調７、水彩画調８あるいはパステル画調８）を見ることができる。
【００５８】
また、ワンタッチ操作により、いずれの画像をいずれの画調画像に変換するか簡単に選択することができる。したがって、その場で色々な変換を試して、いずれの画調がサムネイルに対応する本画像にとって最適な変換であるかを判定することができる。
【００５９】
このように、ユーザが所望する画調の画像が複数表示されている状態において、ユーザがいずれかの画調画像にダブルタッチすると、タッチパネル２２によりこれが検出されて、ＣＰＵ１１はステップＳ１１２をＹＥＳと判断する。したがって、ＣＰＵ１１は、ステップＳ１１２からステップＳ１１３に処理を進めて、メモリカード１８に既にデータが記録されているか否かを判断する。
【００６０】
つまり、ステップＳ１１３に続くステップＳ１１４では、ダブルタッチされた画調画像のサムネイルに対応する本願像に対し、タッチされた画調で画調変換処理を実行する。このとき、メモリカード１８に本画像を画調変換した画像データが既に記憶されている場合もある。したがって、ステップＳ１１３では、メモリカード１８にダブルタッチされた画調画像のサムネイルに対応する本願像を画調変換した画像データがあるか否かを判断し、ない場合にのみ、ステップＳ１１４及びステップＳ１１５の処理を実行する。
【００６１】
まず、ダブルタッチされた画調画像のサムネイルに対応する本願像に対し、タッチされた画調で画調変換処理を実行する（ステップＳ１１４）。
【００６２】
例えば、図１０（ａ）に示すように、サムネイル１〜６及び９〜１６、油絵調７、パステル画調８が表示されている状態（図９（ｂ）と同様の表示状態）において、ユーザがパステル画調８をダブルタッチしたとする。すると、ＣＰＵ１１は、先ずパステル画調８に対応するサムネイル８が記録されているファイルＦ８をＲＡＭ１３にて検索し、検索したファイルＦ８から本画像８を読み出す。また、水彩画調８がダブルタッチされたことから、変換すべき画調は水彩画調であり、よって本画像８をパステル画調で画調変換処理する。
【００６３】
すなわち、ＲＯＭ１２に記憶されている実際に画家により描かれたパステル画の原画から、色彩情報と筆触情報等の特徴を抽出し、抽出した特徴を付与することで本画像８に対し画調変換処理を行って、変換画調画像データを生成し、この生成した変換画調画像データによりパステル画調の変換画調画像を作成する。
【００６４】
引き続き、前記ステップＳ１１４の処理で生成された絵画調変換本画像の画像データをメモリカード１８の対応するファイルに書き込んで保存する（ステップＳ１１５）。したがって、このステップＳ１１４での処理により、図４に示すように、ファイルＦ８に本画像を絵画調変換した絵画調変換本画像８が付加されて保存される。これにより、後述するインターラプトルーチンで、再度同一の絵画調変換本画像を作成する無用な処理の実行を未然に防止することができる。
【００６５】
そして、現在液晶表示パネル３に表示されているサムネイル１〜６及び９〜１６、油絵調７、パステル画調８に代わって、作成したパステル画調の本画像８の変換画調画像を全画面表示する（ステップＳ１１６）。したがって、このステップＳ１１６での処理により、液晶表示パネル３の表示画面は、図１０（ａ）に示した状態から同図（ｂ）に示した状態に遷移し、液晶表示パネル３には本画像８のパステル画調画像であるパステル画調８が表示されることとなる。
【００６６】
したがって、ワンタッチ操作により、いずれの画像をいずれの画調画像に変換するか簡単に選択することができるのみならず、その場で色々な変換を試し、最終的に適切と判断した変換画調で本画像を画調変換することができる。
【００６７】
他方、ステップＳ１０２で一括変換ボタン３０１がタッチされと判断されると、ステップＳ１０２からステップＳ１０３に進んで、メモリカード１８に既にデータが記録されているか否かを判断する。
【００６８】
つまり、ステップＳ１０３に続くステップＳ１０４では、現在液晶表示パネル３に表示されている各サムネイルを優先順序に従って所定の画調で画調変換処理する。ここで、本実施の形態においては、油絵調からエアブラシ画調までの８種類の画調に変換するプログラムが記憶されているが、その優先順序は、前述のように（１）油絵調、（２）水彩画調、（３）パステル調画、（４）鉛筆画調、（５）クレヨン画調、（６）イラスト画調、（７）点描画調、（８）エアブラシ画調である。したがって、１回目の一括変換ボタン３０１の操作に応じて、「（１）油絵調」で画像変換処理することになる。
【００６９】
このとき、メモリカード１８に油絵調で画像変換された画像データが既に記憶されている場合もある。したがって、ステップＳ１０３では、メモリカード１８にサムネイルを油絵調に画調変換した画像データがあるか否かを判断し、油絵調に画調変換した画像データがないサムネイルを優先順序に従った画調（油絵調）で画調変換処理する（ステップＳ１０４）。
【００７０】
すなわち、ＲＯＭ１２に記憶されている実際に画家により描かれた油絵の原画から、色彩情報と筆触情報等の特徴を抽出し、抽出した特徴を付与することにより、油絵で変換された画像データがないサムネイルに対し画調変換処理を行って、変換画調画像データを生成し、この生成した変換画調画像データにより油絵調の変換画調画像を作成する。
【００７１】
引き続き、前記ステップＳ１０４の処理で生成された絵画調変換サムネイルの画像データをメモリカード１８の対応するファイルに書き込んで保存する（ステップＳ１０５）。したがって、このステップＳ１０５での処理により、図３（ｂ）に示すように、ファイルＦ１〜Ｆ１６に絵画調変換サムネイルが付加されて保存される。これにより、後述するインターラプトルーチンで、再度同一の絵画調変換サムネイルを作成する無用な処理の実行を未然に防止することができる。
【００７２】
そして、現在液晶表示パネル３に表示されているサムネイル１〜１６に代わって、油絵調の変換画調画像を表示する（ステップＳ１０６）。したがって、このステップＳ１０６での処理により、液晶表示パネル３の表示画面は、図１１（ａ）に示した状態から同図（ｂ）に示した状態に遷移し、液晶表示パネル３にはサムネイルであって油絵調１〜油絵調１６の変換画調画像が表示されることとなる。よって、ユーザは素早く油絵調で画調変換を行った各サムネイル画像に対応する全画像を見ることができる。
【００７３】
一括変換ボタン３０１がタッチされない場合には、ステップＳ１０２からステップＳ１０７に進んで、いずれかのサムネイルがワンタッチされたか否かを判断し、ワンタッチされない場合には、ステップＳ１０２からの処理を繰り返す。したがって、図１２（ａ）に示す表示状態（図１１（ｂ）と同様の表示状態）で、ユーザが一括変換ボタン３０１を再度タッチすると、２回目の一括変換ボタン３０１の操作に応じて、「（２）水彩画調」で画像変換処理が実行される（ステップＳ１０４）。
【００７４】
このため、ステップＳ１０６での処理により、液晶表示パネル３の表示画面は、図１２（ａ）に示した状態から同図（ｂ）に示した状態に遷移し、液晶表示パネル３にサムネイルに対応する水彩画調１〜水彩画調１６の変換画調画像が表示されることとなる。よって、ユーザは素早く水彩画調で画調変換を行った各サムネイル画像に対応する全画像を見ることができる。
【００７５】
なお、ここで、表示されているサムネイルに異なった画調の表示が混在している場合が考えられる。例えば図１１（ａ）において、図１０（ａ）のようにサムネイル７が油絵調、サムネイル８がパステル画調で表示されている状態で一括変換ボタン３０１を操作したとすると、前述した画調の優先順序に従い、全体を油絵調に変換するとともに、サムネイル７は水彩画調に、サムネイル８は鉛筆画調に変換される。
【００７６】
一方、ＣＰＵ１１は、一定の時間間隔で前記メインルーチンに対して割りこんで、図１３に示すフローチャートに従いインターラプト処理を実行する。すなわち、所定のタイミングであるか否かを判断する（ステップＳ２０１）。
ここで、所定のタイミングであるか否かの例としては、
１）ＣＰＵ１１が計時している時刻に基づき、所定の時間であるか否か、例えば深夜２時から３時の間であるか否か、
２）人感センサ１４からの信号に基づきＤＰＦ１の周囲に所定時間以上人間がいないタイミングであるか否か
３）電源をオフしたタイミングであるか否か
のいずれであってもよい。
【００７７】
そして、所定のタイミングでないと判断した場合には、以降の処理を実行することなくメインルーチンにリターンする。また、所定のタイミングと判断した場合には、液晶表示パネル３への画像データの出力を中止してから（ステップＳ２０２）、変換途中の画像が存在するか否か判定する（ステップＳ２０３）。ここで、変換途中の画像があると判定した場合は、ＲＡＭ１３に記憶しておいた変換途中の画像データとどこまで変換をしたか示すデータとを読み出して、変換の残りを実行する（ステップＳ２０４）。したがって、ステップＳ２０２で表示装置への画像データの出力を中止することで、ＣＰＵ１１の負担を減らして以下の変換処理を短時間で終了できる。
【００７８】
ステップＳ２０３で、変換途中の画像がないと判定した場合には、メモリカード１８の中にまだ変換されていない画像データが存在するか否か判断する（ステップＳ２０５）。ここで、未変換の画像データがないと判断すると、メインルーチンにリターンする。一方、ステップＳ２０５で未変換の画像データ（本画像及びサムネイル）が存在すると判断すると、前記優先順序（１）〜（８）に従って、変換の種類を決定してから決定した変換に対応する変換プログラムを実行して画像データの画調変換を行う（ステップＳ２０６，Ｓ２０７）。
【００７９】
つまり、各ファイルＦ１〜Ｆ１６のサムネイル１〜１６に対し、順次各画調（１）〜（８）の画調変換を行うとともに、各ファイルＦ１〜Ｆ１６の本画像１〜１６に対し、順次各画調（１）〜（８）の画調変換を行う。しかる後に、前記ステップＳ２０４又はステップＳ２０７で生成された変換画調画像の画像データを対応するファイルＦ１〜Ｆ１６に記憶して保存する（ステップＳ２０８）
【００８０】
続いて、全ての種類の変換が終了したか否か判定する（ステップＳ２０９）。そして、全ての種類の変換が終了していない判定すると、ステップＳ２０６へ戻って次の変換の種類を決定し、変換を実行する。ステップＳ２０９で全ての種類の変換が終了した判定すると、当該自動変換処理を終了する。
【００８１】
このようにインターラプト処理を行うことにより、ユーザが変換処理後の画像を見るために変換指令を入力した際に、既に変換済みの画像データを読み出して表示させることで、変換処理が終了するのを待たずに素早く所望の変換を行った画像を見ることができる。
【００８２】
なお、本実施の形態においては、液晶表示パネル３にサムネイル１〜１６を表示し、タッチされたサムネイルを画調変換する画像として指定するようにしたが、本画像を順次表示しタッチされた時点で表示されている本画像を画調変換する画像として指定するようにしてもよい。
【００８３】
（第２の実施の形態）
図１４は、本発明の第２の実施の形態に係る画調変換サービスシステムの構成を示すシステム構成図である。図において、端末として機能するＤＰＦ１は、図１及び図２に示した第１の実施の形態と同様の構成である。したがって、ＤＰＦ１は、アンテナ２１及び無線通信部２０を有し、情報送受信機能を備える。
【００８４】
但し、ＤＰＦ１のＲＯＭ１２には、第１の実施の形態とは異なり、油絵、水彩画、パステル画、鉛筆画、クレヨン画、イラスト画、点描画、エアブラシ画の各原画と、これら原画に基づき変換画調画像を作成する変換画調画像作成プログラムは記憶されておらず、その種類と優先順序（１）油絵調、（２）水彩画調、（３）パステル画調、（４）鉛筆画調、（５）クレヨン画調、（６）イラスト画調、（７）点描画調、（８）エアブラシ画調のみが記憶されている。無線基地局３０は、ＤＰＦ１を当該ＤＰＦ１が加入する通信サービス会社（インターネットプロバイダを含む）４０に接続する。
【００８５】
通信サービス会社４０は、通信サービスに必要とする通信回路処理部４１の他、後述のＷＷＷ（インターネット）５０に接続するためのシステム（Ｗｅｂサーバ４３）、メールシステム（メールサーバ４２）を備えている。また、無線基地局３０をＡＰ（アクセス・ポイント）として、ＤＰＦ１をＷＷＷ５０に接続させるための機能も備えている。画調変換サービス会社６０は、ＷＷＷ５０に接続するためのシステム（Ｗｅｂサーバ６１）、及び管理サーバ６３を備えている。
【００８６】
図１５は、前記管理サーバ６３の詳細を示すブロック図であり、前記Ｗｅｂサーバ６１は、ハブ６４を介して管理サーバ６３に接続されている。管理サーバ６３は、入力操作部（キーボード、マウス等）６３１、制御部（メインフレーム）６３２、システムプログラム記憶部６３３、ユーザ管理テーブル６３４、表示部６３５、及び通信制御部６３６がシステムバスにより相互に接続されたシステムである。そして、ユーザ管理テーブル６３４に登録されている登録者が操作するＤＰＦ１に対し、有料あるいは無料で、受信した画像を画調変換して送信するサービスを行う。
【００８７】
システムプログラム記憶部６３には、制御部６３２に後述するフローチャートに示す動作を行わせるためのプログラムが記憶されている。また、システムプログラム記憶部６３には、実際に画家により描かれた油絵、水彩画、パステル画、鉛筆画、クレヨン画、イラスト画、点描画、エアブラシ画の各原画と、これら原画から色彩情報と筆触情報等の特徴を抽出し、抽出した特徴を付与することで入力画像に対し画調変換処理を行い、変換画調画像を作成する特開２００４−２１３５９８に開示されて技術に基づく変換画調画像作成プログラムも記憶されている。
【００８８】
次に、図１６及び図１７に従って、本実施形態の動作について説明する。ＤＰＦ１のＣＰＵ１１は、ＲＯＭ１２に記憶されているプログラムに基づき、図１６のフローチャートに示すように処理を実行する。このＤＰＦ１と接続される管理サーバ６３は、システムプログラム記憶部６３３に記憶されているプログラムに基づき、図１７のフローチャートに示すように処理を実行する。
【００８９】
すなわち、エフェクトモードにおいて、ＣＰＵ１１は、図１６のフローチャートに示すように、表示対象の画像データをメモリカード１８から各画像ファイルＦ１〜Ｆ１６を読み出すとともに、各画像ファイルＦ１〜Ｆ１６サムネイル１〜１６の画像データを読み出す。そして、これらサムネイル画像データに基づき、液晶表示パネル３にサムネイルを表示させる（ステップＳＡ１）。したがって、このステップＳＡ１での処理により、図６に示すように、液晶表示パネル３には、サムネイル１〜１６が一覧表示される。なお、このときＣＰＵ１１は、液晶表示パネル３の下端隅部に一括変換ボタン３０１とページ送りボタン３０２をも表示させる。
【００９０】
そして、この一括変換ボタン３０１がユーザの手指によりタッチされたか否かを、タッチパネル２２からの出力に基づき判断する（ステップＳＡ２）。一括変換ボタン３０１がタッチされたならば、メモリカード１８に既にデータが記録されているか否かを判断する（ステップＳＡ３）。
【００９１】
つまり、ステップＳ１０３に続くステップＳＡ４では、現在液晶表示パネル３に表示されている各サムネイル（サムネイル１〜１６）を、優先順序に従った所定の画調で画調変換処理するために管理サーバ６３に送信する。ここで、優先順序は、前述のように（１）油絵調、（２）水彩画調、（３）パステル画調、（４）鉛筆画調、（５）クレヨン画調、（６）イラスト画調、（７）点描画調、（８）エアブラシ画調である。したがって、１回目の一括変換ボタン３０１の操作に応じて、「（１）油絵調」で画像変換処理することになる。
【００９２】
このとき、後述するようにメモリカード１８に油絵調で画像変換された画像データが既に記憶されている場合もある。したがって、ステップＳＡ３では、メモリカード１８にサムネイルを油絵調に画調変換した画像データがあるか否かを判断し、画調変換した画像データがないサムネイルを優先順序に従って所定の画調（油絵調）で画調変換するために、サムネイルと、変換する画調の種類（（１）〜（８）のいずれかであり、この時点では（１）油絵調）を管理サーバ６３に送信する。このとき、現時点ではサムネイル１〜１６に対応するファイルＦ１〜Ｆ１６のいずれにも、油絵調に変換された画像データがないので、サムネイル１〜１６が画調の種類「油絵調」とともに送信されることとなる。
【００９３】
一方、管理サーバ６３は、図１７のフローチャートに示すように、サムネイルと画調の種類とを受信したか否かを判断する（ステップＳＢ１）。サムネイル（サムネイル１〜１６）と画調の種類とを受信したならば、受信したサムネイルを受信した画調の種類で画調変換処理する（ステップＳＢ２）。
【００９４】
すなわち、システムプログラム記憶部６３３に記憶されている実際に画家により描かれた油絵の原画から、色彩情報と筆触情報等の特徴を抽出し、抽出した特徴を付与することにより、受信したサムネイル（サムネイル１〜１６）に対し画調変換処理を行って、変換画調画像データを生成し、この生成した変換画調画像データにより油絵調の変換画調画像を作成する。引き続き、このステップＳＡ２の処理で生成された絵画調変換サムネイルの画像データをＤＰＦ１に送信する（ステップＳＢ３）。
【００９５】
すると、ＤＰＦ１のＣＰＵ１１は、無線通信部２０を介して、前記画像データを受信し（ステップＳＡ５）、メモリカード１８の対応するファイルに書き込んで保存する（ステップＳＡ６）。したがって、このステップＳＡ６での処理により、図３（ｂ）に示すように、ファイルＦ１〜Ｆ１６に絵画調変換サムネイルが付加されて保存される。これにより、後述するインターラプトルーチンで、再度同一の絵画調変換サムネイルを作成するために通信を行う無用な処理の実行を未然に防止することができる。
【００９６】
そして、現在液晶表示パネル３に表示されているサムネイル１〜１６に代わって、油絵調の変換画調画像を表示する（ステップＳＡ７）。したがって、このステップＳＡ７での処理により、液晶表示パネル３の表示画面は、図１１（ａ）に示した状態から同図（ｂ）に示した状態に遷移し、液晶表示パネル３にはサムネイルであって油絵調１〜油絵調１６の変換画調画像が表示されることとなる。よって、ユーザは素早く油絵調で画調変換を行った各サムネイル画像に対応する全画像を見ることができる。
【００９７】
また、ステップＳＡ７に続くステップＳＡ８においては、いずれかのサムネイルがワンタッチされたか否かを判断し、ワンタッチされない場合には、ステップＳＡ２からの処理を繰り返す。したがって、図１２（ａ）に示す表示状態で、ユーザが一括変換ボタン３０１を再度タッチすると、２回目の一括変換ボタン３０１の操作に応じて、サムネイルと画調の種類「水彩画調」とが管理サーバ６３に送信される（ステップＳＡ４）。
【００９８】
また、管理サーバ６３からは、サムネイルを水彩画調に画調変換した画像データが送信されてくる。したがって、ステップＳＡ７での処理により、液晶表示パネル３の表示画面は、図１２（ａ）に示した状態から同図（ｂ）に示した状態に遷移し、液晶表示パネル３にサムネイルに対応する水彩画調１〜水彩画調１６の変換画調画像が表示されることとなる。よって、ユーザは素早く水彩画調で画調変換を行った全画像を見ることができる。
【００９９】
このように、変換画調画像が表示されている状態において、ユーザがいずれかの変換画調画像にワンタッチすると、タッチパネル２２によりこれが検出されて、ＣＰＵ１１はステップＳＡ８をＹＥＳと判断する。すると、ＣＰＵ１１は、メモリカード１８に既にデータが記録されているか否かを判断する（ステップＳＡ９）。
【０１００】
つまり、ステップＳＡ９に続くステップＳＡ１０では、ワンタッチされたサムネイルに対し、他の画調変換処理を実行するために送信を行う。すなわち、図７（ａ）に示すように、サムネイル１〜１６が表示されている状態において、ユーザがサムネイル７とサムネイル８とをワンタッチしたとする。すると、優先順序は、油絵調が「（１）」であることから、サムネイル７とサムネイル８とを油絵調で画調変換処理するための送信を行う。
【０１０１】
このとき、後述するようにメモリカード１８に油絵調で画像変換された画像データが記憶されている場合もある。したがって、ステップＳＡ８では、メモリカード１８にサムネイルを油絵調に画調変換された画像データがあるか否かを判断し、ない場合にのみ、ワンタッチされた画調画像に対応するサムネイルと、当該サムネイルを変換する画調の種類とを送信する（ステップＳＡ１０）。
【０１０２】
管理サーバ６３は、図１のフローチャートに示すように、サムネイルと画調の種類とを受信したか否かを判断する（ステップＳＢ１）。サムネイルと画調の種類とを受信したならば、受信したサムネイルを受信した画調の種類で画調変換処理する（ステップＳＢ２）。
【０１０３】
すなわち、システムプログラム記憶部６３３に記憶されている実際に画家により描かれた油絵の原画から、色彩情報と筆触情報等の特徴を抽出し、抽出した特徴を付与することにより、受信したサムネイル（サムネイル７、８）に対し画調変換処理を行って、変換画調画像データを生成し、この生成した変換画調画像データにより水彩画調の変換画調画像を作成する。引き続き、このステップＳＢ２の処理で生成された絵画調変換サムネイルの画像データをＤＰＦ１に送信する（ステップＳＢ３）。
【０１０４】
すると、ＤＰＦ１のＣＰＵ１１は、無線通信部２０を介して、前記画像データを受信し（ステップＳＡ１１）、メモリカード１８の対応するファイルに書き込んで保存する（ステップＳＡ１２）。したがって、このステップＳＡ６での処理により、図３（ｂ）に示すように、ファイルＦ１〜Ｆ１６に絵画調変換サムネイルが付加されて保存される。これにより、後述するインターラプトルーチンで、再度同一の絵画調変換サムネイルを作成するために通信を行う無用な処理の実行を未然に防止することができる。
【０１０５】
しかる後に、現在液晶表示パネル３に表示されているサムネイル７及びサムネイル８に代わって、油絵調の変換画調画像を差し替え表示する（ステップＳＡ１３）。したがって、このステップＳＡ１３での処理により、液晶表示パネル３の表示画面は、図７（ａ）に示した状態から同図（ｂ）に示した状態に遷移し、液晶表示パネル３にはサムネイル７、８に代わって油絵調７、８が表示されることとなる。
【０１０６】
引き続き、いずれかのサムネイルにダブルタッチ（２回連続したタッチ）がなされたか否かを判断する（ステップＳＡ１４）。ダブルタッチされない場合には、ステップＳＡ８に戻る。したがって、図８（ａ）に示す表示状態において、ユーザが油絵調８をワンタッチしたとする。すると、優先順序は、（１）油絵調の次が（２）水彩画調であることから、データがない場合には、油絵調８に対応するサムネイル８を水彩画調で画調変換処理するための送信がＤＰＦ１側で行われ（ステップＳＡ１１）、管理サーバ６３側で変換処理が行われる（ステップＳＢ２）。
【０１０７】
すなわち、管理サーバ６３はシステムプログラム記憶部６３３に記憶されている実際に画家により描かれた水彩画の原画から、色彩情報と筆触情報等の特徴を抽出し、抽出した特徴を付与することでサムネイル８に対し画調変換処理を行って、変換画調画像データを生成し、この生成した変換画調画像データにより水彩画調の変換画調画像を作成する。しかる後にこのデータを送信する（ステップＳＢ３）
【０１０８】
そして、ＤＰＦ１はこれを受信して（ステップＳＡ１１）、データ保存を行った後（ステップＳＡ１２）、現在液晶表示パネル３に表示されている油絵調８に代わって、作成したパステル画調の変換画調画像を差し替え表示する（ステップＳＡ１３）。したがって、このステップＳＡ１１での処理により、液晶表示パネル３の表示画面は、図８（ｂ）に示した状態から同図（ｂ）に示した状態に遷移し、液晶表示パネル３には油絵調８に代わってパステル画調８が表示されることとなる。
【０１０９】
このとき、ＣＰＵ１１は、画調変換処理を行うことなくデータの送受信を行うのみであることから、処理に時間がかかることはない。したがって、ユーザは素早く所望の画調変換を行った画像を見ることができる。
【０１１０】
また、ワンタッチ操作により、いずれの画像をいずれの画調画像に変換するか簡単に選択することができる。したがって、その場で色々な変換を試して、いずれの画調がサムネイルに対応する本画像にとって最適な変換であるかを判定することができる。
【０１１１】
このように、ユーザが所望する画調の画像が複数表示されている状態において、ユーザがいずれかの画調画像にダブルタッチすると、タッチパネル２２によりこれが検出されて、ＣＰＵ１１はステップＳＡ１４をＹＥＳと判断する。したがって、ＣＰＵ１１は、ステップＳＡ１４からステップＳＡ１５に処理を進めて、メモリカード１８に既にデータが記録されているか否かを判断する。
【０１１２】
つまり、ステップＳ１１５に続くステップＳＡ１６では、ダブルタッチされた画調画像のサムネイルに対応する本願像に対し、タッチされた画調で画調変換処理を行うためにデータ送信を実行する。このとき、メモリカード１８に本画像を画調変換した画像データが記憶されている場合もある。したがって、ステップＳＡ１３では、メモリカード１８にダブルタッチされた画調画像のサムネイルに対応する本願像を画調変換した画像データがあるか否かを判断し、ない場合にのみ、ステップＳＡ１６〜ＳＡ１８の処理を実行する。
【０１１３】
まず、ダブルタッチされた画調画像のサムネイルに対応する本願像と、これを変換すべき画調の種類とを送信する（ステップＳＡ１６）。
【０１１４】
つまり、図１０（ａ）に示すように、パステル画調８が表示されている状態において、ユーザが当該パステルが調８をダブルタッチしたとする。すると、ＣＰＵ１１は、先ずパステル画調８に対応するサムネイル８が記録されているファイルＦ８をＲＡＭ１３にて検索し、検索したファイルＦ８から本画像８を読み出す。また、パステル画調８がダブルタッチされたことから、変換すべき画調はパステル画調であり、変調する種別を「パステル画調」と決定する。そして、この読み出した本画像８と変調する種別「パステル画調」とを管理サーバ６３に送信する。
【０１１５】
他方、管理サーバ６３は、図１５のフローチャートに示すように、本画像と画調の種類とを受信したか否かを判断する（ステップＳＢ４）。本画像（本画像８）と画調の種類（水彩画調）とを受信したならば、受信した本画像を受信した画調の種類で画調変換処理する（ステップＳＢ５）。
【０１１６】
すなわち、システムプログラム記憶部６３３に記憶されている実際に画家により描かれた油絵の原画から、色彩情報と筆触情報等の特徴を抽出し、抽出した特徴を付与することにより、受信した本画像に対し画調変換処理を行って、変換画調画像データを生成し、この生成した変換画調画像データにより水彩画調の変換画調画像を作成する。引き続き、このステップＳＢ５の処理で生成された絵画調変換本画像の画像データをＤＰＦ１に送信する（ステップＳＢ６）。
【０１１７】
すると、ＤＰＦ１は、管理サーバ６３から送信された画像データを受信し（ステップＳ１７）、受信した絵画調変換本画像の画像データをメモリカード１８の対応するファイルに書き込んで保存する（ステップＳＡ１８）。したがって、このステップＳＡ１８での処理により、図４に示すように、ファイルＦ８に絵画調変換された本画像８が付加されて保存される。これにより、後述するインターラプトルーチンで、再度同一の絵画調変換本画像を作成するための無用な送受信処理の実行を未然に防止することができる。
【０１１８】
そして、現在液晶表示パネル３に表示されている水彩画調１〜水彩画調１６に代わって、パステル画調の本画像８の変換画調画像を全画面表示する（ステップＳＡ１９）。したがって、このステップＳＡ１６での処理により、液晶表示パネル３の表示画面は、図１０（ａ）に示した状態から同図（ｂ）に示した状態に遷移し、液晶表示パネル３には本画像８のパステル画調画像であるパステル画調８が表示されることとなる。
【０１１９】
したがって、ワンタッチ操作により、いずれの画像をいずれの画調画像に変換するか簡単に選択することができるのみならず、その場で色々な変換を試し、最終的に適切と判断した変換画調で本画像を画調変換することができる。
【０１２０】
また、ＤＰＦ１のＣＰＵ１１は、一定の時間間隔で前記メインルーチンに対して割りこんで、図１８に示すフローチャートに従いインターラプト処理を実行する。すなわち、所定のタイミングであるか否かを判断する（ステップＳＡ２１）。ここで、所定のタイミングであるか否かは、前述した第１の実施の形態と同様である。
【０１２１】
そして、所定のタイミングでないと判断した場合には、以降の処理を実行することなくメインルーチンにリターンする。また、所定のタイミングと判断した場合には、液晶表示パネル３への画像データの出力を中止してから（ステップＳＡ２２）、メモリカード１８を検索して未だ画調変換されていないサムネイルが存在するか否か判定する（ステップＳＡ２３）。未だ画調変換されていないサムネイルがある場合には、当該サムネイルと画調変換されていない画調の種類とを送信する（ステップＳ２４）。
【０１２２】
また、メモリカード１８を検索して未だ画調変換されていない本画像が存在するか否か判定する（ステップＳＡ２５）。未だ画調変換されていない本画像がある場合には、当該本画像と画調変換されていない画調の種類とを送信する（ステップＳ２６）。
【０１２３】
すると、管理サーバ６３の制御部６３２は、前述と同様に図１５のフローチャートに従って処理を実行しサムネイルと画調の種類を受信した場合には（ステップＳＢ１；ＹＥＳ）、受信したサムネイルを受信した種類の画調で変換し（ステップＳＢ２）、画調変換したデータを送信する（ステップＳＢ３）。また、本画像と画調の種類を受信した場合には（ステップＳＢ４；ＹＥＳ）、受信した本画像を受信した種類の画調で変換し（ステップＳＢ５）、画調変換したデータを送信する（ステップＳＢ６）。
【０１２４】
すると、ＤＰＦ１のＣＰＵ１１は、管理サーバ６３から送信されたデータを受信して（ステップＳＡ２７）、受信したデータを対応するファイルＦ１〜Ｆ１６に保存する（ステップＳ２８）。
【０１２５】
このようにインターラプト処理を行うことにより、ユーザが変換処理後の画像を見るために変換指令を入力した際に、既に変換済みの画像データを読み出して表示させることで、変換処理が終了するのを待たずに素早く所望の変換を行った画像を見ることができる。
（第３の実施の形態）
【０１２６】
本実施の形態は図１４、図１５に示す画調変換サービスシステムと同じ構成であるが、前記第２の実施の形態では、ＤＰＦ１のＲＯＭ１２には、第１の実施の形態とは異なり、油絵、水彩画、パステル画、鉛筆画、クレヨン画、イラスト画、点描画、エアブラシ画の各原画と、これら原画に基づき変換画調画像を作成する変換画調画像作成プログラムは記憶されておらず、その種類と優先順序（１）油絵調、（２）水彩画調、（３）パステル画調、（４）鉛筆画調、（５）クレヨン画調、（６）イラスト画調、（７）点描画調、（８）エアブラシ画調のみが記憶されているようにした。これに対し本第３の実施の形態では第１の実施の形態と同様、ＤＰＦ１のＲＯＭ１２に油絵、水彩画、パステル画、鉛筆画、クレヨン画、イラスト画、点描画、エアブラシ画の各原画と、これら原画に基づき変換画調画像を作成する変換画調画像作成プログラムを記憶している。
【０１２７】
そして、サムネイルをワンタッチにより指定して画調変換する場合は第１の実施の形態のようにＤＰＦ１内部で変換処理を行い、サムネイルへダブルタッチして本画像の画像データを画調変換する場合は管理サーバ６３に送って管理サーバ６３内で画調変換を行う。
【０１２８】
これにより、処理の軽いサムネイルの画調変換は端末内で行い、処理の重い本画像の画調変換はサーバ側で行うことによって効率的な作業分担をはかることができる。
【０１２９】
詳細なフローチャートは第１または第２の実施の形態と重複するので省略する。
【０１３０】
管理サーバ６３で変換処理した変換画調画像データはＤＰＦ１へ戻しても良いし、画調変換サービス会社６０がプリントサービスを行って絵画調のプリントを作成してユーザに郵送してもよい。
【０１３１】
なお、実施の形態においては、本発明をデジタルフォトフレームに適用した場合を説明したが、本発明は、デジタルフォトフレームに限定されるものでなく、例えば、各種のコンピュータ、ＰＤＡ、携帯電話、デジタルカメラ、プリンタなどの電子機器においても適用することができる。
【符号の説明】
【０１３２】
１    ＤＰＦ
２    本体
３    液晶表示パネル
６    メモリカードスロット
１１    ＣＰＵ
１２    ＲＯＭ
１３    ＲＡＭ
１４    人感センサ
１６    表示コントローラ
１７    メモリカードコントローラ
１８    メモリカード
１９    タッチパネル
２０    無線通信部
２２    タッチパネル
３０    無線基地局
４１    通信回路処理部
４２    メールサーバ
４３    Ｗｅｂサーバ
５０    ＷＷＷ
６３    管理サーバ
６３    システムプログラム記憶部
３０１    一括変換ボタン
６３２    制御部
６３３    システムプログラム記憶部
６３４    ユーザ管理テーブル
【図１】
0005522068.tif 000002
【図２】
0005522068.tif 000003
【図３】
0005522068.tif 000004
【図４】
0005522068.tif 000005
【図５】
0005522068.tif 000006
【図６】
0005522068.tif 000007
【図７】
0005522068.tif 000008
【図８】
0005522068.tif 000009
【図９】
0005522068.tif 000010
【図１０】
0005522068.tif 000011
【図１１】
0005522068.tif 000012
【図１２】
0005522068.tif 000013
【図１３】
0005522068.tif 000014
【図１４】
0005522068.tif 000015
【図１５】
0005522068.tif 000016
【図１６】
0005522068.tif 000017
【図１７】
0005522068.tif 000018
【図１８】
0005522068.tif 000019